(57)【特許請求の範囲】
【請求項１】
上部開口を有する容器本体と前記上部開口に被冠される蓋面を有する蓋体とを有し、
前記容器本体の上部開口は前端部に向かって徐々に細くなる徐変開口部を有し、
前記蓋体は前記徐変開口部に対応する徐変蓋面部を有し、かつ前記徐変蓋面部の後部の蓋面の両側面に挟圧部を有していて、前記挟圧部を蓋面内側方向へ挟圧することによって前記徐変蓋面部全体がその中央方向に盛り上がり変形するとともに、該徐変蓋面部の先細前端部が山状に浮き上がり前記容器本体の上部開口前端部から離隔して容器本体内の内容物のための吐出部を形成するように構成したことを特徴とする容器。
【請求項２】
前記蓋体の徐変蓋面部に該徐変蓋面部の中央方向への盛り上がり変形を補助する山状部が形成されている請求項１に記載の容器。
【請求項３】
前記蓋体の徐変蓋面部の前部近傍に該徐変蓋面部の先細前端部の浮き上がりを補助する山折り目部が形成されている請求項１又は２に記載の容器。
【請求項４】
前記蓋体下部に前記容器本体の上部開口内側の全周に亘って嵌合する内嵌合部が形成されている請求項１ないし３のいずれか１項に記載の容器。
【請求項５】
前記蓋体下部の内嵌合部が前記先細前端部で逆Ｖ字状の切欠形状に形成されている請求項４に記載の容器。
【請求項６】
前記蓋体の挟圧部が凹部である請求項１ないし５のいずれか１項に記載の容器。
【請求項７】
前記蓋体の挟圧部より前の徐変蓋面部の外周縁部下面が前記容器本体の上部開口に密着している請求項１ないし６のいずれか１項に記載の容器。
【請求項８】
前記蓋体の挟圧部より後の側面には前記容器本体の上部開口の外側に嵌合する外嵌合部を有する請求項１ないし７のいずれか１項に記載の容器。
【発明の詳細な説明】
【技術分野】
【０００１】
本発明は、上部開口を有する容器本体と上部開口に被冠される蓋面を有する蓋体とを有する容器に関する。
【背景技術】
【０００２】
例えば、サラダ等にかけるドレッシング、コーヒーや紅茶等に入れるミルク等の内容物を一度に使い切ることを前提とした容器は、容器本体の上部開口がフィルム等からなる蓋体をヒートシールすることにより密封され使用時に蓋体を剥がすことによって開封される（例えば、特許文献１参照。）。
【０００３】
上記容器では、蓋体が容器本体にヒートシールされているため、開封に際して一方の手で容器本体を支えながら他方の手で蓋体の一部をつまんで蓋体を剥ぎ取る必要があり、両手を使用しなければ開封することが困難であった。また、蓋体のシール力によっては、蓋体が剥がれずに蓋体のつまみ部分が破れて正常な開封ができない不具合が発生したり、強い力で蓋体を剥がした際にその反動で内容物が飛散する等して手や衣服等を汚してしまったりすることがあった。
【先行技術文献】
【特許文献】
【０００４】
【特許文献１】特開２０００−１０３４７０号公報
【発明の概要】
【発明が解決しようとする課題】
【０００５】
本発明は前記の点に鑑みなされたものであり、片手での開封を可能にするとともに、開封時の不具合や内容物の飛散が発生しにくい容器を提供するものである。
【課題を解決するための手段】
【０００６】
すなわち、請求項１の発明は、上部開口を有する容器本体と前記上部開口に被冠される蓋面を有する蓋体とを有し、前記容器本体の上部開口は前端部に向かって徐々に細くなる徐変開口部を有し、前記蓋体は前記徐変開口部に対応する徐変蓋面部を有し、かつ前記徐変蓋面部の後部の蓋面の両側面に挟圧部を有していて、前記挟圧部を蓋面内側方向へ挟圧することによって前記徐変蓋面部全体がその中央方向に盛り上がり変形するとともに、該徐変蓋面部の先細前端部が山状に浮き上がり前記容器本体の上部開口前端部から離隔して容器本体内の内容物のための吐出部を形成するように構成したことを特徴とする容器に係る。
【０００７】
請求項２の発明は、前記蓋体の徐変蓋面部に該徐変蓋面部の中央方向への盛り上がり変形を補助する山状部が形成されている請求項１に記載の容器に係る。
【０００８】
請求項３の発明は、前記蓋体の徐変蓋面部の前部近傍に該徐変蓋面部の先細前端部の浮き上がりを補助する山折り目部が形成されている請求項１又は２に記載の容器に係る。
【０００９】
請求項４の発明は、前記蓋体下部に前記容器本体の上部開口内側の全周に亘って嵌合する内嵌合部が形成されている請求項１ないし３のいずれか１項に記載の容器に係る。
【００１０】
請求項５の発明は、前記蓋体下部の内嵌合部が前記先細前端部で逆Ｖ字状の切欠形状に形成されている請求項４に記載の容器に係る。
【００１１】
請求項６の発明は、前記蓋体の挟圧部が凹部である請求項１ないし５のいずれか１項に記載の容器に係る。
【００１２】
請求項７の発明は、前記蓋体の挟圧部より前の徐変蓋面部の外周縁部下面が前記容器本体の上部開口に密着している請求項１ないし６のいずれか１項に記載の容器に係る。
【００１３】
請求項８の発明は、前記蓋体の挟圧部より後の側面には前記容器本体の上部開口の外側に嵌合する外嵌合部を有する請求項１ないし７のいずれか１項に記載の容器に係る。
【発明の効果】
【００１４】
請求項１の発明に係る容器は、上部開口を有する容器本体と前記上部開口に被冠される蓋面を有する蓋体とを有し、前記容器本体の上部開口は前端部に向かって徐々に細くなる徐変開口部を有し、前記蓋体は前記徐変開口部に対応する徐変蓋面部を有し、かつ前記徐変蓋面部の後部の蓋面の両側面に挟圧部を有していて、前記挟圧部を蓋面内側方向へ挟圧することによって前記徐変蓋面部全体がその中央方向に盛り上がり変形するとともに、該徐変蓋面部の先細前端部が山状に浮き上がり前記容器本体の上部開口前端部から離隔して容器本体内の内容物のための吐出部を形成するように構成したため、両手を使わずに片手で容易に容器を開封することが可能となり、開封時に不具合や内容物の飛散が発生しない。
【００１５】
請求項２の発明は、請求項１において、前記蓋体の徐変蓋面部に該徐変蓋面部の中央方向への盛り上がり変形を補助する山状部が形成されているため、挟圧部を挟圧した際に徐変蓋面部を確実に盛り上がり変形させることができる。
【００１６】
請求項３の発明は、請求項１又は２において、前記蓋体の徐変蓋面部の前部近傍に該徐変蓋面部の先細前端部の浮き上がりを補助する山折り目部が形成されているため、挟圧部を挟圧した際に確実に徐変蓋面部の先細前端部を浮き上がらせることができる。
【００１７】
請求項４の発明は、請求項１ないし３において、前記蓋体下部に前記容器本体の上部開口内側の全周に亘って嵌合する内嵌合部が形成されているため、内容物の漏出を簡易かつ効果的に防止することができる。
【００１８】
請求項５の発明は、請求項４において、前記蓋体下部の内嵌合部が前記先細前端部で逆Ｖ字状の切欠形状に形成されているため、挟圧部を挟圧した際に内嵌合部が徐変蓋面部の折れ曲がり変形の妨げとならない。
【００１９】
請求項６の発明は、請求項１ないし５において、前記蓋体の挟圧部が凹部であるため、効率よく徐変蓋面部を変形させることができるとともに、挟圧時に蓋体が容器本体から外れることを防止することができる。
【００２０】
請求項７の発明は、請求項１ないし６において、前記蓋体の挟圧部より前の徐変蓋面部の外周縁部下面が前記容器本体の上部開口に密着しているため、内容物の漏出を抑制することができる。
【００２１】
請求項８の発明は、請求項１ないし７において、前記蓋体の挟圧部より後の側面には前記容器本体の上部開口の外側に嵌合する外嵌合部を有するため、容器本体からの蓋体の脱落を防止することができるとともに、挟圧部を挟圧した際に徐変蓋面部の先細前端部を上部開口前端部から容易に離隔させることができる。
【図面の簡単な説明】
【００２２】
【図１】本発明の一実施例に係る容器の分解斜視図である。
【図２】図１の容器の側面図である。
【図３】図１の容器の正面図である。
【図４】容器本体の上面図である。
【図５】蓋体の上面図である。
【図６】図２のＡ−Ａ断面図である。
【図７】図２のＢ−Ｂ断面図である。
【図８】図３のＣ−Ｃ断面図である。
【図９】図１の容器の挟圧部を挟圧した状態の側面図である。
【図１０】図１の容器の挟圧部を挟圧した状態の正面図である。
【発明を実施するための形態】
【００２３】
図１〜図３に示す本発明の一実施例に係る容器１０は、上部開口１２を有する容器本体１１と、上部開口１２に被冠される蓋面２１を有する蓋体２０とを有する。この容器１０の材質は、収容される内容物や用途により適宜選択される。例えば、ポリエチレン、ポリプロピレン、ポリスチレン、ポリエチレンテレフタレート等、さらにはポリ乳酸等の生分解性樹脂等の熱可塑性樹脂のシート（合成樹脂シート）、厚紙等の可撓性材料である。特に、合成樹脂シートを用いる場合は、真空成形により容易に所定形状に成形して得ることができる。また、容器本体１１と蓋体２０の組み合わせにおいて、同一材料としても異なる材料としてもよい。
【００２４】
容器１０の内容物としては、ドレッシング、ミルク、クリーム、シロップ、ハチミツ、練乳、しょう油、ソース、ラー油等の液状物、砂糖、塩、こしょう、シナモン、その他香辛料、ココアパウダー、きな粉、小麦粉、片栗粉、粉チーズ、五色スプレー、乾燥ハーブ、漢方薬等の粉状または粒状物等、適宜である。
【００２５】
容器本体１１は、内容物の一度の使用量に対応した容積を有した適宜の大きさ及び形状からなり、図１，４に示すように、上部開口１２が前端部に向かって徐々に細くなる徐変開口部１３を有する。この容器本体１１は、片手で把持することが可能な大きさ及び形状とすることが好ましい。実施例の容器本体１１は、図１〜図４に示すように、壁部１５が円弧状後壁部１６と、凹状側壁部１７と、前端部に向かって徐々に細くなる徐変開口部１３の形状に対応した徐変前壁部１８とからなり、底部１４から上部開口１２に向かって拡開して形成されている。図において、符号１２Ａは上部開口１２から容器本体１１外側に折り返して形成された開口縁部、１９は壁部１５上部の内側全周に亘って形成された内段部である。
【００２６】
蓋体２０は、容器本体１１の上部開口１２の平面形状に対応して形成されて上部開口１２を閉鎖可能としたものであって、図１，５に示すように、容器本体１１の徐変開口部１３に対応する徐変蓋面部２５を有し、かつ徐変蓋面部２５の後部の蓋面２１の両側面に挟圧部３０を有している。また、蓋体２０は、図１，２，６〜８に示すように、内容物の漏出を防止するための内嵌合部４０と、容器本体１１からの蓋体２０の脱落を防止するための外嵌合部４５とを有する。
【００２７】
この蓋体２０では、図９，１０に示すように、挟圧部３０を蓋面２１内側方向へ挟圧することによって徐変蓋面部２５全体がその中央方向に盛り上がり変形するとともに、該徐変蓋面部２５の先細前端部２６が山状に浮き上がり容器本体１１の上部開口１２前端部から離隔して容器本体１１内の内容物のための吐出部５０を形成するように構成される。
【００２８】
徐変蓋面部２５は、蓋面２１の少なくとも一部を構成し、図２，３，６〜８に示すように、挟圧部３０より前の外周縁部２７下面が容器本体１１の上部開口１２に密着している。実施例では、上部開口１２の開口縁部１２Ａ上面に挟圧部３０より前の外周縁部２７下面が密着し、内容物の漏出を抑制している。なお、実施例では、徐変蓋面部２５の先細前端部２６が浮き上がる際には、開口縁部１２Ａ上面に密着していた外周縁部２７下面が離隔される。
【００２９】
また、徐変蓋面部２５では、図６〜図８に示すように、該徐変蓋面部２５の中央方向への盛り上がり変形を補助する山状部２８が形成されている。徐変蓋面部２５に山状部２８が形成されることにより、挟圧部３０が蓋面２１内側方向へ挟圧された場合に、蓋面２１内側方向の力が山状部２８により蓋面２１上方へ作用するため、徐変蓋面部２５を確実に盛り上がり変形させることができる。
【００３０】
さらに、徐変蓋面部２５の前部近傍には、図１，５，８に示すように、該徐変蓋面部２５の先細前端部２６の浮き上がりを補助する山折り目部２９が形成されている。徐変蓋面部２５の前部近傍に山折り目部２９が形成されることにより、挟圧部３０が蓋面２１内側方向へ挟圧された際に山折り目部２９を中心に徐変蓋面部２５の先細前端部２６が山状に折れ曲がるため、確実に徐変蓋面部２５の先細前端部２６を浮き上がらせることができる。
【００３１】
挟圧部３０は、蓋面２１の両側面から蓋面２１内側方向に挟圧して容器１０の前端部に吐出部５０を形成するように徐変蓋面部２５を変形させることが可能に構成される。実施例の挟圧部３０は、図５に示すように、蓋面２１両側面の凹部３１であり、片手で両側面の凹部３１を狭持可能に形成される。挟圧部３０が凹部３１であることにより、挟圧する部位を所定位置に規定することが可能となって効率よく徐変蓋面部２５を変形させることができる。また、挟圧部３０を凹部３１としたことによって、蓋面２１の両側面の一部にくぼみが形成されるため、挟圧した際に蓋体２０が位置ずれすることがなく、挟圧時に蓋体２０が容器本体１１から外れることを防止することができる。
【００３２】
内嵌合部４０は、図６〜図８に示すように、蓋体２０下部に容器本体１１の上部開口１２内側の全周に亘って嵌合するように形成される。実施例では、容器本体１１の内段部１９に嵌合する段部として形成されている。これにより、内容物の漏出を簡易かつ効果的に防止することができる。また、この内嵌合部４０では、図８に示すように、先細前端部２６で逆Ｖ字状の切欠形状４１に形成されていることが好ましい。内嵌合部４０の先細前端部２６を逆Ｖ字状の切欠形状４１とすれば、挟圧部３０を挟圧した際に徐変蓋面部２５の折れ曲がり変形の妨げとならない。なお、実施例では、徐変蓋面部２５の山折り目部２９と一体に形成されて逆Ｖ字状の切欠形状をなしている。
【００３３】
外嵌合部４５は、容器本体１１の上部開口１２（開口縁部１２Ａ）の外側に嵌合して容器本体１１からの蓋体２０の脱落を防止するように構成される。この外嵌合部４５は、蓋体２０の全周に亘って形成することも可能であるが、図１，２，６，７に示すように、蓋体２０の挟圧部３０より後の側面に容器本体１１の上部開口１２の外側に嵌合するように形成することが好ましい。このように、挟圧部３０より後の側面に外嵌合部４５を形成すれば、挟圧部３０を挟圧した際に該徐変蓋面部２５の先細前端部２６を上部開口１２前端部から容易に離隔させることができる。なお、図において、符号４６は開口縁部１２Ａ外側の下端部に係合する突条部である。
【００３４】
吐出部５０は、図９，１０に示すように、徐変蓋面部２５が変形することによって容器１０前端部分に形成される開口部であり、徐変蓋面部２５の変形量に応じて開口量が適宜変化する。実施例では、徐変蓋面部２５の挟圧部３０より前の外周縁部２７が開口縁部１２Ａ上面から離隔した距離に対応している。
【００３５】
次に、本発明の容器１０の使用例について説明する。まず、容器本体１１に内容物が収容された容器１０を片手で持ち、徐変蓋面部２５の後部の蓋面２１の両側面に形成された挟圧部３０の一方に親指、他方に人指し指を添える。
【００３６】
続いて、図９，１０に示すように、挟圧部３０を蓋体２０の両側から蓋面２１内側方向へ挟圧すると、徐変蓋面部２５の山状部２８により蓋面２１内側方向の力が蓋面２１上方へ作用して、徐変蓋面部２５全体がその中央方向に盛り上がり変形する。
【００３７】
また、徐変蓋面部２５の盛り上がり変形に伴い、徐変蓋面部２５の山折り目部２９により、該山折り目部２９を中心に徐変蓋面部２５の先細前端部２６が山状に浮き上がって折曲げられる。その際、内嵌合部４０が先細前端部２６で逆Ｖ字状の切欠形状４１に形成されていることにより、徐変蓋面部２５の先細前端部２６を円滑に折曲げることができる。
【００３８】
上記のように、徐変蓋面部２５が盛り上がり変形するとともに、その先細前端部２６が山状に浮き上がることにより、上部開口１２前端部の開口縁部１２Ａ上面に密着していた徐変蓋面部２５の挟圧部３０より前の外周縁部２７下面が開口縁部１２Ａから離隔され、容器１０の前端部に吐出部５０が形成される。
【００３９】
そして、挟圧部３０の挟圧状態を維持したまま容器１０の前端部を目標物に向け容器本体１１を傾けることにより、吐出部５０を介して容器本体１１から内容物を飛散させずに吐出させることができる。
【００４０】
以上図示し説明したように、本発明の容器１０では、挟圧部３０を蓋面内側方向へ挟圧することによって徐変蓋面部２５全体をその中央方向に盛り上がり変形させるとともに、該徐変蓋面部２５の先細前端部２６を山状に浮き上がらせ容器本体１１の上部開口１２前端部から離隔させて容器本体１１内の内容物のための吐出部５０を形成するように構成したため、両手を使わずに片手で容易に容器を開封することが可能となり、開封時に不具合や内容物の飛散が発生しない。
【００４１】
この容器１０は、コンビニエンスストアやスーパーマーケット等の食料品売り場で販売される弁当、サラダ、惣菜等に付属のしょう油、ソース、ドレッシング等調味料用の容器、あるいは、喫茶店で提供されるコーヒーや紅茶等の飲料に入れるミルクやシロップ用の容器として最適である。
【００４２】
また、レストラン等の飲食店でウェイターが給仕の際に料理にドレッシングやソース等をかけるための容器としても使用することができる。この場合、当該容器１０は片手で容易に取り扱うことができるので、客前で使用しても見栄えがよく清潔であり、食事の雰囲気等を損なう恐れがない。
【００４３】
さらに、容器１０は、厨房等で調味料用の容器としても使用することができる。この場合、容器１０には１度で使用する適量の内容物が収容されるため、調理しながら片手で素早く所望の調味料を加えることができ、効率的である。
【００４４】
その他、当該容器１０は、前記例示した適宜の内容物に対応して好適に利用することができる。
【００４５】
なお、本発明の容器は、前述の実施例のみに限定されるものではなく、発明の趣旨を逸脱しない範囲において構成の一部を適宜に変更して実施することができる。
【符号の説明】
【００４６】
１０    容器
１１    容器本体
１２    上部開口
１３    徐変開口部
２０    蓋体
２１    蓋面
２５    徐変蓋面部
２６    先細前端部
３０    挟圧部
５０    吐出部
【図１】
0005636264.tif 000002
【図２】
0005636264.tif 000003
【図３】
0005636264.tif 000004
【図４】
0005636264.tif 000005
【図５】
0005636264.tif 000006
【図６】
0005636264.tif 000007
【図７】
0005636264.tif 000008
【図８】
0005636264.tif 000009
【図９】
0005636264.tif 000010
【図１０】
0005636264.tif 000011